(57)【要約】【課題】  多くの携帯電話機で外付けが可能であり、音声信号の電気的なミキシングを行うミキサーのような回路を用いることなく、通話中の音声に音楽や合の手や環境音などの効果音を重畳したものを通話相手に聞かせることが出来るような、効果音重畳装置を提供する。【解決手段】  取付具により携帯電話機に外付けされるアクセサリーであって、この際に効果音の発音口であるケースの孔部を携帯電話機の通話口の部位に位置させるのであるが、これによっても通話口は塞がれることがなく、通話口には話者が発した音声が入る、言わば音声通路が形成されるようにした。従って効果音と話者が発する音声との２つの音が携帯電話機の通話口に入る前に実質的に重畳されて、これが通話口に設けられた携帯電話機のマイクにより電気信号に変換される。これにより電気回路としてのミキサを不要とすることが出来る。【選択図】図１
2010263596.tif 000002
【特許請求の範囲】
【請求項１】
通話に重畳させるための音楽や音声などの効果音を少なくとも一つ記録するための記憶部とまたはこの記憶部を着脱するための記憶部接続具と、前記記憶部から読み出した所要の効果音を出力するための音声出力具と、これらを管理するための再生制御部とを設けたケースに、このケースを携帯電話機の通話口に取り付けるための取付具と、このケースの携帯電話機の通話口に相対する部位に音声出力具からの効果音をケース外部に取り出すために開孔された孔部とを設けて成り、このケースを前記取付具を用いて携帯電話機の通話口に取り付けた時に前記孔部が、孔部からの効果音のみならず話者が通話口に向かって話した音声をも通話口で拾うことが出来るようにこの通話口を前記孔部が完全に塞ぐことなく音声を通すように設けられていることを特徴とする、効果音重畳装置。
【請求項２】
通話に重畳させるための音楽や音声などの効果音を録音・再生するための録音・再生部と、この録音・再生部で再生した所要の効果音を出力するための音声出力具と、これらを管理するための再生制御部とを設けたケースに、このケースを携帯電話機の通話口に取り付けるための取付具と、このケースの携帯電話機の通話口に相対する部位に音声出力具からの効果音をケース外部に取り出すために開孔された孔部とを設けて成り、このケースを前記取付具を用いて携帯電話機の通話口に取り付けた時に前記孔部が、孔部からの効果音のみならず話者が通話口に向かって話した音声をも通話口で拾うことが出来るようにこの通話口を前記孔部が完全に塞ぐことなく音声を通すように設けられていることを特徴とする、効果音重畳装置。
【請求項３】
通話に重畳させるための外部の音楽プレーヤなどからの出力を効果音として利用するための外部入力具と、この効果音を出力するための音声出力具とを設けたケースに、このケースを携帯電話機の通話口に取り付けるための取付具と、このケースの携帯電話機の通話口に相対する部位に音声出力具からの効果音をケース外部に取り出すために開孔された孔部とを設けて成り、このケースを前記取付具を用いて携帯電話機の通話口に取り付けた時に前記孔部が、孔部からの効果音のみならず操作者が通話口に向かって話した音声をも通話口で拾うことが出来るようにこの通話口を前記孔部が完全に塞ぐことなく音声を通すように設けられていることを特徴とする、効果音重畳装置。
【請求項４】
前記記憶部は複数の効果音を記録するものであり、これ等の効果音から一を選択し得るようにした、請求項１に記載の効果音重畳装置。
【請求項５】
前記録音・再生部は複数の効果音を録音するものであり、これ等の効果音から一を選択し得るようにした、請求項２に記載の効果音重畳装置。
【請求項６】
前記再生制御部は所要の時間だけ前記再生処理を行うようにするものである、請求項１または請求項２に記載の効果音重畳装置。
【請求項７】
前記再生制御部は所定の時間だけ前記再生処理を行うようにするものである、請求項１または請求項２に記載の効果音重畳装置。
【請求項８】
前記取付具がクリップである、請求項１または請求項２または請求項３に記載の効果音重畳装置。
【請求項９】
更にキーホルダーの金具を備える、請求項１または請求項２または請求項３に記載の効果音重畳装置。
【請求項１０】
更に携帯電話機に接続するためのストラップを備える、請求項１または請求項２または請求項３に記載の効果音重畳装置。
【発明の詳細な説明】
【技術分野】
【０００１】  本発明は、携帯通信端末装置いわゆる携帯電話機に外付けするアクセサリーに係り、特に通話中の音声に音楽や音声や環境音等の効果音を重畳したものを通話相手に聞かせることが出来るような、効果音重畳装置に関する。
【背景技術】
【０００２】  従来より通話中の音声に音楽などの効果音を重畳したものを通話者同士で聞くことを可能にする携帯電話機や通信システムが提案されている。例えば特開２００４−２７４４６４の通話転送システムは、携帯電話ネットワークにコンテンツサーバを接続し、コンテンツサーバは携帯電話機間の通話を中継するが、この際にＢＧＭや効果音声などを合成して通話を盛り上げようとするものである。また特開２００２−２１８０１９の携帯電話型装置は、オーディオデータの再生中に着信があった時には、オーディオ用コーデックから出力されたオーディオデータとＤ／Ａコンバータより出力された（通話相手の）音声データをミキサで混合してイヤホンやスピーカから出力する。またオーディオ用コーデックから出力されたオーディオデータをＡ／Ｄコンバータの前段に入力することによって、相手方にも再生中のオーディオデータを聞かせることが出来る。
【特許文献１】特開２００４−２７４４６４
【特許文献２】特開２００２−２１８０１９
【発明の開示】
【発明が解決しようとする課題】
【０００３】  これ等によれば確かに通話者同士で通話しながら音楽や合の手などの効果音を聞くことが出来て、会話を盛り上げることが出来るのではあるが、特開２００４−２７４４６４では携帯電話ネットワークに、ＢＧＭや効果音声などを合成して携帯電話機間の通話を中継するためのコンテンツサーバを、新たに設ける必要がある。またこのサービスの利用者は月極めなどの形態で使用料金を負担しなければならない。特開２００２−２１８０１９では上述したようなミキサ回りの回路を備えることが必須であるため、このような合成機能を使わせるためには、この機能を備えた携帯電話機に買い代えてもらう必要がある。また携帯電話機のメーカーにとっては多くの機種でこの機能に対応させなくてはならないなどの問題がある。なおユーザー側から見ればこの機能の提供は、携帯電話の通信キャリアか携帯電話機メーカーが独占することになり、例えばおもちゃ業界からおもちゃとして提供を受けるなどの選択肢が全くない。【０００４】  そこで、通話中の音声に音楽や合の手や環境音などの効果音を重畳したものを通話相手に聞かせることが出来るようなアクセサリーを提供することが考えられる。例えば特願２００８−３３６１５０は当発明者の発明に成るものであり、通話に必要な音声入力具と音声出力具と、通話に重畳させるための音楽や音声などの効果音を記録するための記憶部と、これらを管理する重畳制御部とから成り、この重畳制御部は前記記憶部から効果音を読み出し、この効果音を音声入力具からの音声に重畳して、これを前記入出力接続具を介して携帯電話機に出力することを特徴としている。これはこれで優れた発明であるが、アクセサリー的なものを提供したいと考えるわけであるから、更に前記重畳制御部のような回路を省略することが出来ればなお良いことになる。【０００５】  すなわち重畳とは言っても音声信号の電気的なミキシングを行うミキサーのような回路を用いることなく、効果音と話者が発する音声とを重畳することが出来るようにしたい。本発明はこのような問題を解決しようとするものである。
【課題を解決するための手段】
【０００６】  上記課題は、請求項１の発明によれば、通話に重畳させるための音楽や音声などの効果音を少なくとも一つ記録するための記憶部とまたはこの記憶部を着脱するための記憶部接続具と、前記記憶部から読み出した所要の効果音を出力するための音声出力具と、これらを管理するための再生制御部とを設けたケースに、このケースを携帯電話機の通話口に取り付けるための取付具と、このケースの携帯電話機の通話口に相対する部位に音声出力具からの効果音をケース外部に取り出すために開孔された孔部とを設けて成り、このケースを前記取付具を用いて携帯電話機の通話口に取り付けた時に前記孔部が、孔部からの効果音のみならず話者が通話口に向かって話した音声をも電話機の通話口で拾うことが出来るようにこの通話口を前記孔部が完全に塞ぐことなく音声を通すように設けられていることを特徴とする、効果音重畳装置とすることにより達成される。【０００７】  この発明の要点は、取付具によって携帯電話機に外付けされるアクセサリーであって、この際に効果音の発音口であるケースの孔部を携帯電話機の通話口の部位に位置させるのであるが、これによっても通話口は塞がれることがなく、通話口には話者が発した音声が入る、言わば音声通路が形成されると言う点にある。従って効果音と話者が発する音声との２つの音が携帯電話機の通話口に入る前に実質的に重畳されて、これが通話口に設けられた携帯電話機のマイクにより電気信号に変換される点に特徴を有している。これによって電気回路としてのミキサを不要とすることが出来るのである。【０００８】  なお請求項１の発明では音楽や音声などの効果音は記憶部に記憶される。記憶部に外付けの記録媒体を用いる場合には、この記録媒体を着脱するための記憶部接続具を備えるようにする。すなわち記憶部は固定的に内蔵されるものであっても、記憶部接続具を介して着脱自在に内蔵されるものであっても良い。後者は記憶部をＩＣカードメモリなどとして効果音を適宜交換することが可能になる。音声出力具にはスピーカが用いられる。【０００９】  この効果音重畳装置の、例えばケースの中央部分に設けた押しボタンスイッチを押すこと、などをトリガーとして、再生制御部は記憶部から効果音データを読み出し、これを音声出力具に出力する。これによってケースの孔部から効果音が発生するが、この位置には携帯電話機の通話口が相対していると共に、この通話口には話者が発した音声が入って来るため、携帯電話機のマイクには上述したように既に重畳されたものが入力されるのである。またこう成るように前記取付具周りが構成されているのである。なお話者にはこの効果音が前記音声通路を通って出たり本装置の背後から漏れた音声として聞こえるのである。【００１０】  さてこうして携帯電話のマイクに入力される前に空気中で重畳された効果音と話者が発した音声とは、マイクに入力された後この携帯電話機を介して通話相手に送信される。そしてこの効果音を背景にした音声は、通話相手の携帯電話機のスピーカから通話相手の耳に聞かれることになる。なお本機が効果音を発生するタイミングに付いてであるが、本機の電源をＯＮにすると効果音を発生するものとすることが出来るし、専用のスイッチを設け��おいてこれをＯＮにすると効果音を発生するものとすることも出来る。或いは複数の効果音から任意の一を選択して使用するようにしたいのであれば、効果音の数に応じた押しボタンスイッチを設けるなどとすれば良い。この辺りの設計は自由である。【００１１】  本効果音重畳装置によれば、取付具を用いて携帯電話機の通話口に取り付けるだけで良いから、多くの携帯電話機で外付けが可能であり、内蔵する記憶部から効果音データを読み出して再生し、この効果音を空気中で話者の音声と重畳して携帯電話機のマイクに入力し、これを通話相手に聞かせると言う全く新しい方式であり、これにより通話の場を大いに盛り上げる効果を奏するのである。【００１２】  次に上記課題は、請求項２の発明によれば、通話に重畳させるための音楽や音声などの効果音を録音・再生するための録音・再生部と、この録音・再生部で再生した所要の効果音を出力するための音声出力具と、これらを管理するための再生制御部とを設けたケースに、このケースを携帯電話機の通話口に取り付けるための取付具と、このケースの携帯電話機の通話口に相対する部位に音声出力具からの効果音をケース外部に取り出すために開孔された孔部とを設けて成り、このケースを前記取付具を用いて携帯電話機の通話口に取り付けた時に前記孔部が、孔部からの効果音のみならず話者が通話口に向かって話した音声をも通話口で拾うことが出来るようにこの通話口を前記孔部が完全に塞ぐことなく音声を通すように設けられていることを特徴とする、効果音重畳装置とすることにより達成される。【００１３】  この発明の要点は、通話に重畳させるための音楽や音声などの効果音を録音・再生するための録音・再生部を備えていることにある。効果音として用いたいものを録音・再生部にこれ自体が備える音声入力具から予め録音しておく。或いは通話中に自分の声を録音することも可能である。そして例えば再生ボタンが押されるなどしたら録音・再生部はこれを再生して音声出力具に出力する。この出力を効果音とするのである。これによりケースの孔部から効果音が発生するが、この位置には携帯電話機の通話口が相対しており、またこの通話口には話者が発した音声が入って来るため、携帯電話機のマイクには空気中で重畳された効果音と話者の音声とが入力されるのである。このようにして話者の音声に効果音を重畳したものを通話相手に聞かせることが出来るのである。なお録音に当り音声出力具を音声入力具として使用する設計も可能である。また複数の効果音を録音しておき、任意の一を選択して再生する設計とすることも出来る。【００１４】  次に上記課題は、請求項３の発明によれば、通話に重畳させるための外部の音楽プレーヤなどからの出力を効果音として利用するための外部入力具と、この効果音を出力するための音声出力具とを設けたケースに、このケースを携帯電話機の通話口に取り付けるための取付具と、このケースの携帯電話機の通話口に相対する部位に音声出力具からの効果音をケース外部に取り出すために開孔された孔部とを設けて成り、このケースを前記取付具を用いて携帯電話機の通話口に取り付けた時に前記孔部が、孔部からの効果音のみならず操作者が通話口に向かって話した音声をも通話口で拾うことが出来るようにこの通話口を前記孔部が完全に塞ぐことなく音声を通すように設けられていることを特徴とする、効果音重畳装置とすることにより達成される。【００１５】  この発明の要点は、通話に重畳させるための効果音を得るために、外部の音楽プレーヤなどからの出力を利用するための外部入力具を備えていることにある。音楽プレーヤからの音声出力以外にもラジオやテレビやパソコンなどからの音声出力を外部入力具から得ることが出来る。従ってこの発明の通話重畳装置の外部入力具に例えばｉＰｏｄ（登録商標）などの音楽プレーヤの出力端子を接続して音楽プレーヤを再生させると、前記音声出力具は音楽プレーヤからの出力を取り込んでこれを効果音として出力する。これによりケースの孔部から効果音が発生するが、この位置には携帯電話機の通話口が相対しており、またこの通話口では話者が発した音声と効果音とが混じり合うために、これ等が重畳音声として携帯電話機のマイクに入力されるようになる。このようにして話者の音声に効果音を重畳したものを通話相手に聞かせるのである。【００１６】  次に請求項４の発明によれば、請求項１の効果音重畳装置に於いて、前記記憶部は複数の効果音を記録するものであり、これ等の効果音から一を選択し得るようにしたものとすることが出来る。この一実施例として、この効果音重畳装置に複数のスイッチを設けておき、これ等のスイッチの中から一を選択してＯＮ状態にすると、このスイッチに割り当てられた効果音を音声出力具（ケースの孔部）から発して、上述したところの言わば音声通路にて話者の音声に重畳させることが出来るのである。従って次に別のスイッチを選択してＯＮ状態にすると、通話相手には別の効果音を背景にした話者の音声を聞かせることになる。【００１７】  また請求項５の発明によれば、請求項２の効果音重畳装置に於いて、前記録音・再生部は複数の効果音を録音するものであり、これ等の効果音から一を選択し得るようにしものとすることが出来る。これも請求項４の発明のように効果音の選択を可能にするものであるが、前記録音・再生部を用いているために、好きな時に好きなものを効果音として録音して再生使用することが可能になる。【００１８】  次に請求項６の発明によれば、請求項１または請求項２の効果音重畳装置に於いて、前記再生制御部は所要の時間だけ前記再生処理を行うようにするものとすることが出来る。音声と効果音との、上述した音声通路にての重畳を止めたければ再生制御部に再生処理を止めさせることで、通話中の音声から効果音が消えて音声だけを通話相手に聞かせるようになる。従って音声と効果音とを重畳させている時間を自由に制御することが出来る。例えば押しボタンスイッチをＯＮにすることをトリガーとして再生制御部が所要の時間だけ前記再生処理を行い、押しボタンスイッチをＯＦＦにすることをトリガーとして再生制御部が前記再生処理を止める設計のものでは、前記再生制御部は前記スイッチがＯＮにされている間だけ再生処理を行い、スイッチをＯＦＦにすれば再生処理を止めることになる。従ってユーザーは好きな時にスイッチをＯＮ／ＯＦＦすれば良い。【００１９】  次に請求項７の発明によれば、請求項１または請求項２の効果音重��装置に於いて、前記再生制御部は所定の時間だけ前記再生処理を行うようにするものとすることが出来る。前記再生制御部が再生処理を開始した後は、所定の時間が経過するまではこの再生処理を継続し、所定の時間が経過したら再生処理を終了することになる。例えば押しボタンスイッチをＯＮにすることをトリガーとして再生制御部が効果音の再生を行う設計のものでは、再生制御部は前記スイッチが一旦ＯＮにされたならば所定の時間だけ前記再生処理を行う。従って再生処理を止めるためにスイッチをＯＦＦにする操作が不要である。所定の時間とは一曲演奏が終わるまでとか、合の手を３回までなどのように設定された時間のことである。これは再生制御部にて予め設定しておくようにする。【００２０】  次に請求項８の発明によれば、請求項１または請求項２または請求項３の効果音重畳装置に於いて、携帯電話機の通話口に取り付けるための前記取付具がクリップであるものとすることが出来る。上述したように本機はこの取付具によって携帯電話機に外付けされ、この際に効果音の発音口であるケースの孔部を携帯電話機の通話口の部位に位置させるのであるが、これによっても通話口は塞がれることがなく、通話口には話者が発した音声が入る、言わば音声通路が形成されるようにしている。これは効果音と話者が発する音声との２つの音を携帯電話機の通話口に入る前に実質的に重畳してしまい、電気回路としてのミキサを不要とするための構成であるが、取付具がクリップであるものとすれば、このクリップを以て本機を携帯電話機の通話口に取り付けることがワンタッチで行えて、極めて便利である。なお上述した音声通路が形成される限りに於いてはどのような構成の取付具であっても良いから、例えば携帯電話機の通話口を差し込む断面コ字状のケースなども提供可能である。【００２１】  次に請求項９の発明によれば、請求項１または請求項２または請求項３の効果音重畳装置に於いて、さらにキーホルダーの金具を備えたものとすることが出来る。本効果音重畳装置をキーホルダーとして利用することが可能であり、便利である。【００２２】  次に請求項１０の発明によれば、請求項１または請求項２または請求項３の効果音重畳装置に於いて、さらに携帯電話機に接続するためのストラップを備えたものとすることが出来る。本効果音重畳装置をストラップを介して携帯電話機に接続しておくことが出来るため、必要な時には何時でも直ぐに使用可能である。
【発明の効果】
【００２３】  本発明によれば、取付具で簡単に携帯電話機に外付けされ、この取付具によって形成される上述したような音声通路で効果音と話者が発する音声とを空気的に重畳することが出来るため、音声信号の電気的なミキシングを行うミキサーのような回路を用いる必要がない。このようであるから本効果音重畳装置と携帯電話機との間には何等の電気的な接続も不要であり、前記取付具を用いて携帯電話機に外付けするだけの簡単操作で直ぐに使用を開始することが出来て極めて便利である。
【発明を実施するための最良の形態】
【００２４】  以下では本発明の実施形態４種を図面を参照しつつ説明するが、本発明はこれ等に限定されるものではない。【００２５】  （第１実施形態）
図１乃至図４はこの発明案の第１実施形態の効果音重畳装置１を表す。この効果音重畳装置１にはその軸受け１７に、バネヒンジ１５により常には閉じる方向に不勢されたクリップ１４が設けられており、このクリップ１４で携帯電話機９を挟み付けるようにして効果音重畳装置１を携帯電話機９に取り付ける実施形態のものである（図２を参照）。この効果音重畳装置１には図４のブロック図で表した回路が納められている。すなわち再生制御部２と効果音記憶部２０とスピーカ２４と、電源としての乾電池（図示せず）である。また再生制御部２には３つの指定スイッチ２１，２２，２３が配線されている。これ等の指定スイッチ２１，２２，２３には各々効果音重畳装置１の表面部の押しボタン１１，１２，１３が対応して設けられている（図１及び図２）。また効果音記憶部２０にはこの３つの指定スイッチ２１，２２，２３に一対一対応する３つの効果音が記憶されている。さて効果音重畳装置１の裏面側には前記スピーカ２４の発音を外に出すためのスピーカ口１９が設けられているが、この位置は効果音重畳装置１のクリップ１４で携帯電話機９を挟み付けた時の携帯電話機９側のマイク９２の位置である（図２）。この際にしっかりと携帯電話機９に固定されるようにクリップ１４の携帯電話機９に相対する側にゴム製の滑り止め１６が設けられており（図２）、不使用時にはこの滑り止め１６を納めるための収納溝１８が効果音重畳装置１の裏面側に形成されている（図３）。また効果音重畳装置１には、携帯電話機用のストラップ６を取り付けるための紐通し１０が形成されている（図３）。【００２６】  この実施形態では電源スイッチを設けていない。このため指定スイッチ２１，２２，２３の何れか一を押すことで再生制御部２が動作するように設計されている。指定スイッチが押されると再生制御部２はこの指定スイッチに対応する効果音を効果音記憶部２０から読み出してスピーカ２４を鳴らす。こうして発生した効果音はスピーカ口１９から外に出て、目の前の携帯電話機９のマイク口９１に拾われてマイク９２に入力される。スピーカ２４とマイク口９１との間の距離は極めて短いこともあって十分な感度が得られる。なお電源スイッチを別途設ける設計も可能である。【００２７】  ところで携帯電話機９のマイク口９１に相対する部位の、前記スピーカ２４の両側にはシリコン樹脂製のスペーサ１００が取り付けられている。このスペーサ１００の存在によって、効果音重畳装置１を携帯電話機９に取り付けた時に音声通路Ｓが形成される。すなわちマイク口９１は効果音重畳装置１によっては完全に塞がれることがないのである。そこで上述のようにスピーカ２４を鳴らしながら話者が話すと、スピーカ２４が発する効果音と話者が発する音声との２つの音が、マイク口９１に入る前の空気中で実質的に重畳されて、これが携帯電話機９側のマイク口９１（通話口）に設けられたマイク９２により電気信号に変換されて携帯電話機９により通話相手に送信される。なお前記スペーサ１００を設けない構成も可能である。すなわち効果音重畳装置１が取り付けられる携帯電話機９の表面側には押しボタンスイッチによる凹凸があったり、また折り畳み式の携帯電話機では折り畳んだ時に液晶画��が押しボタンスイッチに当らないように僅かに浮かすための突起が押しボタンスイッチが設けられている側に形成されている場合がある。このような場合には効果音重畳装置１を携帯電話機９に取り付けた時に音声通路Ｓが形成される（後述する第３実施形態の効果音重畳装置４がこの構成のものである）。【００２８】  （第２実施形態）
図５及び図６はこの発明の第２実施形態の効果音重畳装置３を表す。この効果音重畳装置３は側面方向から見た時にコ字形状を呈しており、この内側３面の内の、スピーカ口３６を設けた面以外の２面にクッション３５が設けられており、コ字形状の部位である挿入溝３４に携帯電話機９のマイク口９１がある側の端部を挿入した時に、携帯電話機９にしっかりと固定されるようになっている（図５を参照）。この際にスピーカ２４のスピーカ口３６が来る位置は携帯電話機９側のマイク口９１の位置である。【００２９】  この効果音重畳装置１には、図６のブロック図で表わした回路が納められている。すなわち再生制御部２とカードＩ／Ｆ２５とスピーカ２４と、電源としての乾電池（図示せず）である。カードＩ／Ｆ２５にはメモリスロット３７が接続されておりこれにはカードメモリ２６が挿脱自在（交換可能）である。このカードメモリ２６に効果音を記憶させておくようにする。なおこれ以外の指定スイッチ２１，２２，２３、及び押しボタン３１，３２，３３、紐通し３０などの構成は第１実施形態のそれに倣うものである。【００３０】  （第３実施形態）
図７及び図８はこの発明の第３実施形態の効果音重畳装置４を表す。この効果音重畳装置４の表面側には３つの押しボタン（３１，３２，３３）が設けられている（図示せず）。また裏面側のスピーカ２４のスピーカ口４１の辺りに位置するようにゴムバンド４２が取り付けられている。このゴムバンド４２を以て携帯電話機に取り付けるようにするのである。この際に携帯電話機のマイク口の箇所にこの効果音重畳装置４のスピーカ口４１が位置するようにする。なお符号４０はストラップなどを繋げるための紐通しである。【００３１】  この効果音重畳装置４には、図８のブロック図で表わした回路、すなわち再生制御部２と効果音記憶部２０と録音・再生部２７とスピーカ２４と、電源としての乾電池（図示せず）が納められている。再生制御部２には３つの指定スイッチ２１，２２，２３が配線されているが、これ等及びこれ等周りの構成は上述した第１実施形態の構成に倣う。録音・再生部２７には２つのスイッチすなわち録音スイッチ２８と再生スイッチ２９とが配線されており、またマイク２００も接続されている。スピーカ２４のある部位にはスピーカ口４１が、またマイク２００のある部位にはマイク口４２が形成されている。【００３２】  再生制御部２と効果音記憶部２０との動作は上述した第１実施形態での動作と同じであるが、再生制御部２と録音・再生部２７との動作は次のようになっている。先ず録音スイッチ２８をＯＮ状態にしてからマイク２００に向かって効果音としたい音声を発すると、これが録音・再生部２７に記録される。次に前記再生スイッチ２９をＯＮ状態にすると、録音・再生部２７に記録されている効果音が再生されてスピーカ２４を鳴らす。従ってこの録音された効果音に話者の音声を空気中で重畳させることが出来るのである。【００３３】  （第４実施形態）
図９及び図１０はこの発明の第４実施形態の効果音重畳装置５を表わす。この効果音重畳装置５の表面側には３つの押しボタン（３１，３２，３３）が設けられている（図示せず）。また裏面側のスピーカ２４のスピーカ口５１の辺りには粘着パッド５２が、一部に音声通路Ｓが形成されるようにＵ字形状に設けられている。この粘着パッド５２を以て、携帯電話機のマイク口の箇所にこの効果音重畳装置５のスピーカ口５１が来るように位置合わせしつつ、効果音重畳装置５を携帯電話機に粘着固定する。この際にスピーカ口５１は音声通路Ｓによって外界と繋っていることになる。なお図中符号５０はキーホルダーなどを繋げるための紐通しである。【００３４】  図１０のブロック図で表わしたこの実施形態の効果音重畳装置５は、再生制御部２と効果音記憶部２０とに成る構成及びその動作に関しては上述した第１実施形態のそれ構成に倣っているが、再生制御部２が外部入力端子２０１を備えている点で異なっている。この外部入力端子２０１には携帯式の音楽プレーヤの外部出力端子を接続することが出来る。この接続によって再生制御部２は、携帯式の音楽プレーヤからの音声をスピーカ２４に出力することが出来、従ってこの音声を効果音として利用するのである。
【産業上の利用可能性】
【００３５】  この他、別途ミュージックプレーヤとしての機能を持たせることなども可能である。なお複数の効果音から一の効果音の選択に上述した指定スイッチを用いるのではなく、テンキーを備えて数字を入力させて選択するなどの、自由な設計が可能である。
【図面の簡単な説明】
【００３６】
【図１】  第１実施形態の使用状態説明図である。
【図２】  同実施形態の使用状態説明図である。
【図３】  同実施形態の裏面の説明図である。
【図４】  同実施形態のブロック図である。
【図５】  第２実施形態の使用状態説明図である。
【図６】  同実施形態のブロック図である。
【図７】  第３実施形態の斜視図である。
【図８】  同実施形態のブロック図である。
【図９】  第４実施形態の裏面の説明図である。
【図１０】  同実施形態のブロック図である。
【符号の説明】
【００３７】  １    効果音重畳装置
１０  紐通し
１１  押しボタン
１２  押しボタン
１３  押しボタン
１４  クリップ
１５  バネヒンジ
１６  滑り止め
１７  軸受け
１８  収納溝
１９  スピーカ口
１００スペーサ
２    再生制御部
２０  効果音記憶部
２１  指定スイッチ
２２  指定スイッチ
２３  指定スイッチ
２４  スピーカ
２５  カードＩ／Ｆ
２６  カードメモリ
２７  録音・再生部
２８  録音スイッチ
２９  再生スイッチ
２００マイク
２０１外部入力端子
３    効果音重畳装置
３０  紐通し
３１  押しボタン
３２  押しボタン
３３  押しボタン
３４  挿入溝
３５  クッション
３６  スピーカ口
３７  メモリスロット
４    効果音重畳装置
４０  紐通し
４１  スピーカ口
４２  ゴムバンド
４３  マイク口
５    効果音重畳装置
５０  紐通し
５１  スピーカ口
５２  粘着パッド
６    ストラップ
【図１】
2010263596.tif 000003
【図２】
2010263596.tif 000004
【図３】
2010263596.tif 000005
【図４】
2010263596.tif 000006
【図５】
2010263596.tif 000007
【図６】
2010263596.tif 000008
【図７】
2010263596.tif 000009
【図８】
2010263596.tif 000010
【図９】
2010263596.tif 000011
【図１０】
2010263596.tif 000012